【手続補正書】
【提出日】平成25年9月20日(2013.9.20)
【手続補正１】
【補正対象書類名】明細書
【補正対象項目名】００２０
【補正方法】変更
【補正の内容】
【００２０】
本発明による適当なポリ（メタ）アクリレートは、アルコール残基において１〜１２個の炭素原子を有する１以上のアルキル（メタ）アクリレートエステルの重合生成物である。少ない割合の（メタ）アクリル酸または他の共重合性モノマー、例えばスチレン、ビニルエステル、アクリルアミドを、任意に含有させることもできる。Ｃ１〜Ｃ８（メタ）アクリレートエステルは特に適当である。このようなポリマーは当業者に既知であり、あらゆる方法により製造することができる。それらはあらゆる化学組成において市販され入手することもできる。
【手続補正２】
【補正対象書類名】明細書
【補正対象項目名】００２１
【補正方法】変更
【補正の内容】
【００２１】
本発明による適当なアクリレートコポリマーは、少なくとも２個、好ましくは２〜５個の加水分解性シラン基を含むことが意図される。これらシラン基は、加水分解性残基を有する上記のシラン基である。この場合もまた、Ｃ１〜Ｃ４アルコキシ基を有するジアルコキシシラン基またはトリアルコキシシラン基が特に好ましい。
【手続補正３】
【補正対象書類名】明細書
【補正対象項目名】００２９
【補正方法】変更
【補正の内容】
【００２９】
反応性シラン基は、加水分解性残基を含有することが意図される。そのような残基の例は、-Ｃｌ、-ＯＨ、-Ｏ-Ｃ(=Ｏ)Ｒ１、-ＯＲ１であり、ここで、Ｒ１は１〜２０個の炭素原子を有する炭化水素残基を表す。好ましい態様によれば、それらは一般式（I）：
【化１】
2013509463.tif 000001
［式中、Ｒ＝Ｃ(Ｏ)Ｒ１またはＲ２、かつ、Ｒ１およびＲ２＝Ｃ１〜Ｃ１０アルキル、
Ｒ３＝Ｃ１〜Ｃ６アルキル、および
ａ＝１、２、３およびｂ＝０、１、２］
に相当することが意図される。
【手続補正４】
【補正対象書類名】明細書
【補正対象項目名】００４２
【補正方法】変更
【補正の内容】
【００４２】
シラン基の加水分解性基の加水分解による切断、切開、分割およびＳｉ-ＯＨ基のシロキサン基へのその後の縮合（架橋反応または接着促進作用）を触媒する、全ての既知化合物を触媒として用いることができる。それらの例は、チタネート、例えばテトラブチルチタネートまたはチタンテトラアセチルアセトネート；ビスマス化合物、例えば、ビスマストリス-２-エチルヘキサノエート；スズカルボキシレート、例えばジブチルスズジラウレート(DBTL)、ジブチルスズジアセテートまたはジブチルスズジエチルヘキサノエート；スズ酸化物、例えばジブチルスズオキシドおよびジオクチルスズオキシド；有機アルミニウム化合物、例えばアルミニウムトリスアセチルアセトネート；キレート化合物、例えばジルコニウムテトラアセチルアセトネート；アミン化合物またはそのカルボン酸塩、例えばオクチルアミン、シクロヘキシルアミン、ベンジルアミン、ジブチルアミン、モノエタノールアミン、トリエタノールアミン、ジエチレントリアミン、トリエチレンテトラミン、トリエチレンジアミン、グアニジン、モルホリン、N-メチルモルホリンおよび１,８-ジアザビシクロ(５,４,０)-ウンデセン-７(DBU)、アミノ基を有するシラン接着促進剤である。一態様は金属触媒を用いない方法で進行し、別の態様はＳｎまたはＰｂなどの重金属を含有しない触媒を使用する。数種類の触媒の混合物が好ましく、総重量に基づいて、０.０１〜約５重量％、特に０.１〜４重量％、特には０.５〜３重量％の量の触媒が好ましい。
【手続補正５】
【補正対象書類名】明細書
【補正対象項目名】００４７
【補正方法】変更
【補正の内容】
【００４７】
加水分解性シラン化合物は特に乾燥剤として適当である。その例は、カルバメートプロピルトリメトキシシラン、アルキルトリメトキシシラン、アルキルトリエトキシシラン、ビニルトリメトキシシラン、フェニルトリメトキシシラン、テトラエトキシシラン、ビニルトリエトキシシラン、ビニルトリアセトキシシラン、またはイソオクチルトリメトキシシランである。それらは、接着剤がより高い架橋密度を示すというさらなる効果を有する。これにより、架橋後により高いモジュラスまたはより高い硬度を有する生成物がもたらされる。したがって、これらの特性は、使用量によって制御された方法で影響されうる。
【手続補正６】
【補正対象書類名】明細書
【補正対象項目名】００４８
【補正方法】変更
【補正の内容】
【００４８】
本発明の接着剤の好ましい態様は：
少なくとも２個のシラン基、特に２〜４個のシラン基を有する少なくとも１種のポリオキシアルキレンポリマーおよび／またはポリ（メタ）アクリレートポリマー、３０〜９５重量％、好ましくは６０〜９０重量％、
少なくとも１種の追加の接着促進剤、０.１〜１０重量％、特に０.５〜５重量％、
フィラー、１〜３０重量％、好ましくは２〜１５重量％、および
補助剤および添加剤、特に触媒、接着促進剤、安定剤、および／または可塑剤０.０１〜２５重量％
を含有してよい。成分の合計は１００重量％となる。
【手続補正７】
【補正対象書類名】特許請求の範囲
【補正対象項目名】全文
【補正方法】変更
【補正の内容】
【特許請求の範囲】
【請求項１】
ａ）少なくとも１つの加水分解性シラン基を有する少なくとも１種のポリオキシアルキレンおよび／またはポリ（メタ）アクリレートプレポリマー、
ｂ）１〜３０重量％のフィラーおよび／または顔料、
ｃ）補助剤および添加剤
を含有する一成分系湿分硬化型貼合わせ用接着剤であって、
該プレポリマーは４０００〜４００００ｇ／ｍｏｌの分子量を有し、該接着剤は２０００〜１０００００ｍＰａｓの粘性を有する、接着剤。
【請求項２】
接着剤は、式（I)：
【化２】
2013509463.tif 000002
［式中、Ｒ＝Ｃ(Ｏ)Ｒ１またはＲ２であり、Ｒ１およびＲ２＝Ｃ１〜Ｃ１０アルキルであり、Ｒ３＝Ｃ１〜Ｃ６アルキルであり、
ａ＝１、２、３およびｂ＝０、１、２である］
で示されるシラン基、好ましくは平均１.５〜３個のシラン基、特に２個の末端シラン基を含む、請求項１に記載の一成分系接着剤。
【請求項３】
プレポリマーは、多分散性（ＭＷ／ＭＮ）Ｄ＜３を有する、請求項１または２に記載の一成分系接着剤。
【請求項４】
接着剤は、少なくとも２個のシラン基を有する１種以上のポリオキシアルキレンポリマーおよび／またはポリ（メタ）アクリレートポリマー３０〜９５重量％、少なくとも１種の追加の接着促進剤０.１〜１０重量％、フィラー１〜３０重量％、および、補助剤および添加剤０.０１〜２５重量％を含有し、成分の合計は１００重量％となる、請求項１〜３のいずれかに記載の一成分系接着剤。
【請求項５】
接着剤は重金属触媒を含まない、請求項１〜４のいずれかに記載の一成分系接着剤。
【請求項６】
プレポリマーを、ポリエーテルポリオールまたはポリ（メタ）アクリレートポリオールから、ＯＨ基と過剰のジイソシアネートとを反応させ、任意に過剰の単量体ジイソシアネートを除去し、反応生成物と、ＮＣＯ基と反応性の基および加水分解性シラン基を含有する化合物とを反応させることにより製造するか、または、ポリエーテルポリオールまたはポリ（メタ）アクリレートポリオールと、反応性シラン基を有するイソシアナトシランとを反応させて製造するか、または、不飽和基を有するポリエーテルまたはポリ（メタ）アクリレートから、それらのポリマー類似反応による合成の際に、反応性シラン基を末端に反応させて製造する、それぞれの場合において式（I）で示される反応性シラン基を含有させる、請求項１〜５のいずれかに記載の一成分系接着剤。
【請求項７】
アミノシランまたはヒドロキシシラン、特に第２級アミノ基を有するシランを、反応性基を有する化合物として使用する、請求項６に記載の一成分系接着剤。
【請求項８】
ジイソシアネートとして、異なる反応性ＮＣＯ基を有するイソシアネート、特に芳香族イソシアネート、好ましくは非直鎖状イソシアネートを使用する、請求項６または７に記載の一成分系接着剤。
【請求項９】
フィラーとして、特に１００ｍ２／ｇ未満の表面積（ＢＥＴ）を有する、微細分割形状のＳｉＯ２を使用する、請求項１に記載の一成分系接着剤。
【請求項１０】
金属、紙、厚紙、プラスチックおよび／またはコートまたは印刷した表面を有する接着結合性軟質基材用の、請求項１〜９のいずれかに記載の接着剤の使用。
【請求項１１】
多層フィルムを製造するための貼合わせ用接着剤としての、請求項１０に記載の接着剤の使用。